(57)【要約】【課題】本発明は、格納庫の実装スペースを犠牲とすることなく、プリント回路板を共通化することができ、コストを低減できる電子機器を得ることにある。【解決手段】電子機器(1)の格納庫(4)は、複数の実装スペース(12a,12b,12c)に対応する位置に、シャーシ(30)の挿入方向に離間して配置された複数のレール(16)を有し、これらレールの間に隣り合う実装スペースに連なる通路(18)が形成されている。シャーシは、レールに摺動可能に係合する複数の挿入ガイド(38a,38b)を有している。挿入ガイドは、シャーシの挿入方向に互いに離間して配置されているとともに、通路を実装スペースの積層方向に沿って移動可能となっている。【選択図】    図７
2004213703.tif 000002
【特許請求の範囲】
【請求項１】
左右の側板の間に縦方向に積層された複数の実装スペースを有する格納庫と、
上記格納庫に取り外し可能に挿入され、複数台のモジュールを縦方向に積層した状態で支持するとともに、上記格納庫よりも小さな形状を有するシャーシと、
上記シャーシに支持され、上記モジュールが電気的に接続されるとともに、上記シャーシが支持されるモジュールとは別のモジュールを接続可能な実装領域を有し、この実装領域が上記モジュールの積層方向に沿って上記シャーシの外方に突出するプリント回路板と、を具備し、
上記格納庫の側板は、上記各実装スペースに対応する位置に、上記シャーシの挿入方向に互いに離間して配置された複数のレールを有し、これらレールの間に隣り合う実装スペースに連なる通路が形成されているとともに、
上記シャーシは、上記レールに摺動可能に係合することで上記格納庫に対する上記シャーシの挿入方向を定める複数の挿入ガイドを有し、これら挿入ガイドは、上記シャーシの挿入方向に互いに離間して配置されているとともに、上記通路を上記実装スペースの積層方向に沿って移動可能であることを特徴とする電子機器。
【請求項２】
請求項１の記載において、上記格納庫に上記シャーシを挿入した時、複数の実装スペースのうちの少なくとも一つが空となることを特徴とする電子機器。
【請求項３】
請求項２の記載において、上記格納庫に上記シャーシを挿入した時、上記プリント回路板の実装領域は、上記空の実装スペースとは反対側に位置するとともに、上記格納庫の外方に突出することを特徴とする電子機器。
【請求項４】
請求項１の記載において、上記プリント回路板は、上記シャーシの挿入ガイドが上記通路に対応する位置に達した時に、上記格納庫の外方に位置することを特徴とする電子機器。
【請求項５】
左右の側板の間に縦方向に積層された複数の実装スペースを有する格納庫と、
上記格納庫に取り外し可能に挿入され、複数台のモジュールを縦方向に積層した状態で支持するとともに、全ての実装スペースを満たす大きさを有する第１のシャーシと、
上記第１のシャーシに支持され、上記モジュールが電気的に接続される第１のプリント回路板と、
上記第１のシャーシと交換して上記格納庫に取り外し可能に挿入され、上記第１のシャーシよりも少ない台数のモジュールを縦方向に積層した状態で支持するとともに、上記第１のシャーシよりも小さな形状を有する第２のシャーシと、上記第２のシャーシに支持され、上記モジュールが電気的に接続されるとともに、上記第２のシャーシに支持されるモジュールとは別のモジュールを接続可能な実装領域を有し、この実装領域が上記第２のシャーシから上記モジュールの積層方向に沿って突出する第２のプリント回路板と、を具備し、
上記格納庫の側板は、上記各実装スペースに対応する位置に、上記第１および第２のシャーシの挿入方向に互いに離間して配置された複数のレールを有し、これらレールの間に隣り合う実装スペースに連なる通路が形成されているとともに、
上記第２のシャーシは、上記レールに摺動可能に係合することで上記格納庫に対する上記第２のシャーシの挿入方向を定める複数の挿入ガイドを有し、これら挿入ガイドは、上記第２のシャーシの挿入方向に互いに離間して配置されているとともに、上記通路を上記実装スペースの積層方向に沿って移動可能であることを特徴とする電子機器。
【請求項６】
請求項５の記載において、上記格納庫に上記第２のシャーシを収容した時、複数の実装スペースのうちの一つが空となることを特徴とする電子機器。
【請求項７】
請求項６の記載において、上記格納庫に上記第２のシャーシを挿入した時、上記第２のプリント回路板の実装領域は、上記空の実装スペースとは反対側に位置するとともに、上記格納庫の外方に突出することを特徴とする電子機器。
【発明の詳細な説明】
【０００１】
【発明の属する技術分野】
本発明は、例えば複数台のハードディスク駆動装置を搭載した電子機器に係り、特にそのハードディスク駆動装置を電子機器の格納庫に実装する構造に関する。
【０００２】
【従来の技術】
例えば複数のワークステーションやコンピュータを連携させるサーバは、大容量のデータを管理する複数台のハードディスク駆動装置を装備している。ハードディスク駆動装置は、一つのシャーシに組み込まれて互いに積層されているとともに、このシャーシを介してサーバの格納庫に取り外し可能に装着されている。
【０００３】
ところで、例えば５インチタイプの格納庫に装着可能なシャーシとしては、格納庫の三つの実装スペースを利用して４台のハードディスク駆動装置を実装可能とするもの、あるいは格納庫の二つの実装スペースを利用して３台のハードディスク駆動装置を実装可能とするものが知られている。
【０００４】
この種のシャーシは、左右の側板、側板の上端間に跨る天板および側板の下端間に跨る底板を有する中空の角筒形をなしている。シャーシは、ハードディスク駆動装置を取り囲んでおり、このシャーシの後端にプリント回路板が支持されている。プリント回路板は、複数のコネクタを有し、これらコネクタに夫々ハードディスク駆動装置が電気的に接続されている（例えば、特許文献１参照）。
【０００５】
【特許文献１】
特開２００１−１５５４７５号公報  （第５頁−第９頁、図１−図４）
【０００６】
【発明が解決しようとする課題】
ところで、４台のハードディスク駆動装置の装着を可能とするシャーシと、３台のハードディスク駆動装置の装着を可能とするシャーシとでは、プリント回路板の大きさが互いに異なっている。このため、４台のハードディスク駆動装置に対応する大きさのプリント回路板を、そのまま３台のハードディスク駆動装置の装着を可能とするシャーシに適用した場合に、このプリント回路板の端部がシャーシの外方に突出し、格納庫の空の実装スペースに張り出してしまう。
【０００７】
この結果、シャーシが二つの実装スペースに対応する大きさであるにも拘わらず、プリント回路板が三つの実装スペースを占有することになり、本来は空となる筈の一つの実装スペースに他の周辺機器を実装することができなくなる。
【０００８】
このことから、従来では、サイズが異なる個々のシャーシに対応する専用のプリント回路板を準備し、プリント回路板が格納庫の空の実装スペースに張り出すのを防止している。
【０００９】
しかしながら、このようにすると、４台のハードディスク駆動装置の装着を可能とするシャーシと、３台のハードディスク駆動装置の装着を可能とするシャーシとにおいて、夫々専用に設計されたプリント回路板を必要とする。したがって、プリント回路板の種類が多くなり、コスト高を招く原因となるといった不具合がある。
【００１０】
本発明の目的は、格納庫の実装スペースを犠牲とすることなく、プリント回路板を共通化することができ、コストを低減できる電子機器を得ることにある。
【００１１】
【課題を解決するための手段】
上記目的を達成するため、本発明の一つの形態に係る電子機器は、
左右の側板の間に縦方向に積層された複数の実装スペースを有する格納庫と、
上記格納庫に取り外し可能に挿入され、複数台のモジュールを縦方向に積層した状態で支持するとともに、上記格納庫よりも小さな形状を有するシャーシと、
上記シャーシに支持され、上記モジュールが電気的に接続されるとともに、上記シャーシに支持されるモジュールとは別のモジュールを接続可能な実装領域を有し、この実装領域が上記モジュールの積層方向に沿って上記シャーシの外方に突出するプリント回路板と、を具備している。
【００１２】
上記格納庫の側板は、上記各実装スペースに対応する位置に、上記シャーシの挿入方向に互いに離間して配置された複数のレールを有し、これらレールの間に隣り合う実装スペースに連なる通路が形成されている。さらに、上記シャーシは、上記レールに摺動可能に係合することで上記格納庫に対する上記シャーシの挿入方向を定める複数の挿入ガイドを有し、これら挿入ガイドは、上記シャーシの挿入方向に互いに離間して配置されているとともに、上記通路を上記実装スペースの積層方向に沿って移動可能であることを特徴としている。
【００１３】
この構成によれば、シャーシを格納庫に挿入した状態で、実装スペースの積層方向に移動させることができる。このため、格納庫の上段又は下段の実装スペースが空となるとともに、上記シャーシの移動によりプリント回路板の実装領域が上記空の実装スペースとは反対側において格納庫の外方に張り出す。よって、プリント回路板によって格納庫の全ての実装スペースが占有されることはなく、空の実装スペースに他のモジュールを装着することができる。
【００１４】
さらに、プリント回路板は、シャーシの外方に突出する実装領域を有するので、この実装領域を含む大きさの他のシャーシにも適用が可能となる。このため、一種類のプリント回路板をモジュールの装着台数が異なる複数のシャーシに共通して使用することができ、部品の共通化が可能となる。
【００１５】
【発明の実施の形態】
以下本発明の実施の形態を、サーバに適用した図面にもとづいて説明する。
【００１６】
図１は、電子機器としてのサーバ１を開示している。サーバ１は、箱状の本体２と、この本体２の前面２ａを開閉するフロント扉３とを備えている。本体２の内部には、５インチタイプの第１の格納庫４と、３．５インチタイプの第２の格納庫５が設置されている。
【００１７】
第１の格納庫４は、モジュールとしてのハードディスク駆動装置６を最大で４台格納するためのものであり、本体２の前面２ａに開口している。第２の格納庫５は、フロッピーディスク駆動装置７および必要に応じてカセット磁気テープ装置や光磁気ディスク装置（図示せず）を格納するためのものであり、同じく本体２の前面２ａに開口している。第１および第２の格納庫４，５は、本体２の高さ方向に積層されており、本実施の形態では、第１の格納庫４の下方に第２の格納庫５が位置している。この第２の格納庫５は、第１の格納庫４よりも奥行き寸法が小さくなっている。
【００１８】
図２および図３に示すように、第１の格納庫４は、左右の側板９ａ，９ｂと、側板９ａ，９ｂの上端間に跨る天板１０と、側板９ａ，９ｂの下端間に跨る底板１１とを有する四角い筒状をなしている。これら側板９ａ，９ｂ、天板１０および底板１１は、互いに協働して機器格納室１２を構成している。機器格納室１２は、三つの実装スペース１２ａ，１２ｂ，１２ｃを有している。これら実装スペース１２ａ，１２ｂ，１２ｃは、第１の格納庫４の高さ方向（縦方向）に沿って積層されている。
【００１９】
また、第１の格納庫４は、前端開口部１３と後端開口部１４とを有している。これら開口部１３，１４は、機器格納室１２を間に挟んで互いに向かい合っており、その前端開口部１３が本体２の前面２ａに露出している。
【００２０】
第１の格納庫４は、実装スペース１２ａ，１２ｂ，１２ｃに対応する位置に夫々一対のレール１６を備えている。図５に示すように、各レール１６は一対のガイド片１７ａ，１７ｂを有している。ガイド片１７ａ，１７ｂは、第１の格納庫４の側板９ａ，９ｂを実装スペース１２ａ，１２ｂ，１２ｃに向けて切り起こすことにより構成されている。これらガイド片１７ａ，１７ｂは、夫々第１の格納庫４の奥行き方向に沿って水平に延びているとともに、第１の格納庫４の高さ方向に互いに向かい合っている。
【００２１】
そして、各実装スペース１２ａ，１２ｂ，１２ｃのレール１６は、第１の格納庫４の奥行き方向に互いに離間して配置されており、これらレール１６の間に隣り合う実装スペース１２ａ，１２ｂ，１２ｃに連なる通路１８が形成されている。各実装スペース１２ａ，１２ｂ，１２ｃの通路１８は、第１の格納庫４の高さ方向に沿って一列に並んでいる。
【００２２】
第１の格納庫４に４台のハードディスク駆動装置６を実装する場合は、図２ないし図４に示すような第１のシャーシ２０が用いられる。第１のシャーシ２０は、機器格納室１２の三つの実装スペース１２ａ，１２ｂ，１２ｃを利用して４台のハードディスク駆動装置６の実装を可能とするものである。
【００２３】
第１のシャーシ２０は、左右の側板２１ａ，２１ｂと、側板２１ａ，２１ｂの上端間に跨る天板２２と、側板２１ａ，２１ｂの下端間に跨る底板２３とを有する四角い筒状をなしている。第１のシャーシ２０は、機器格納室１２の三つの実装スペース１２ａ，１２ｂ，１２ｃの全てを塞ぐような大きさを有し、この機器格納室１２にきっちりと嵌まり込んでいる。
【００２４】
４台のハードディスク駆動装置６は、側板２１ａ，２１ｂ、天板２２および底板２３とで囲まれる空間部分に収容されている。これらハードディスク駆動装置６は、第１のシャーシ２０の高さ方向（縦方向）に積層された状態で第１のシャーシ２０に固定されている。
【００２５】
また、図４に示すように、第１のシャーシ２０の後端に第１のプリント回路板２６が取り付けられている。第１のプリント回路板２６は、ハードディスク駆動装置６の積層方向に沿って起立しており、この第１のプリント回路板２６の前面に四つのコネクタ２７（図３に示す）が実装されている。コネクタ２７は、ハードディスク駆動装置６の積層方向に間隔を存して一列に並んでおり、これらコネクタ２７にハードディスク駆動装置６が電気的に接続されている。
【００２６】
第１のシャーシ２０は、第１のプリント回路板２６を先頭にした姿勢で第１の格納庫４の前端開口部１３から機器格納室１２に取り外し可能に挿入される。第１のシャーシ２０を機器格納室１２に挿入した状態では、第１のシャーシ２０の側板２１ａ，２１ｂが第１の格納庫４の側板９ａ，９ｂと向かい合っている。
【００２７】
側板２１ａ，２１ｂの高さ方向に沿う中央部に、夫々側方に張り出す挿入ガイド２８が取り付けられている。挿入ガイド２８は、第１の格納庫４に対する第１のシャーシ２０の挿入方向を定めるためのものである。この挿入ガイド２８は、第１のシャーシ２０の挿入方向に沿って水平に延びているとともに、上記レール６のガイド片１７ａ，１７ｂの間に摺動可能に嵌まり込むようになっている。
【００２８】
第１のシャーシ２０の挿入ガイド２８は、中段に位置する実装スペース１２ｂのレール１６に嵌まり込んでいる。これにより、４台のハードディスク駆動装置６を搭載した第１のシャーシ２０が第１の格納庫４に収容され、第１の格納庫４の三つの実装スペース１２ａ，１２ｂ，１２ｃの全てが塞がっている。
【００２９】
一方、第１の格納庫４に３台のハードディスク駆動装置６を実装する場合は、図６に示すような第２のシャーシ３０が用いられる。第２のシャーシ３０は、機器格納室１２の二つの実装スペース１２ｂ，１２ｃを利用して３台のハードディスク駆動装置６の実装を可能とするものである。
【００３０】
第２のシャーシ３０は、左右の側板３１ａ，３１ｂと、側板３１ａ，３１ｂの上端間に跨る天板３２と、側板３１ａ，３１ｂの下端間に跨る底板３３とを有する四角い筒状をなしている。この第２のシャーシ３０は、第１のシャーシ２０よりも小さな形状を有し、機器格納室１２の二つの実装スペース１２ｂ，１２ｃを塞いでいる。
【００３１】
３台のハードディスク駆動装置６は、側板３１ａ，３１ｂ、天板３２および底板３３とで囲まれる空間部分に収容されている。これらハードディスク駆動装置６は、第２のシャーシ３０の高さ方向（縦方向）に積層された状態で第２のシャーシ３０に固定されている。
【００３２】
また、第２のシャーシ３０の後端に第２のプリント回路板３５が取り付けられている。第２のプリント回路板３５は、ハードディスク駆動装置６の積層方向に沿って起立しており、この第２のプリント回路板３５の前面に三つのコネクタ３６（図７に示す）が実装されている。コネクタ３６は、ハードディスク駆動装置６の積層方向に間隔を存して一列に並んでおり、これらコネクタ３６にハードディスク駆動装置６が電気的に接続されている。
【００３３】
第２のプリント回路板３５は、第２のシャーシ３０の下方に突出する実装領域３７を有している。実装領域３７の大きさは、上記実装スペース１２ａ，１２ｂ，１２ｃのうちの一つに対応している。言い換えると、実装領域３７は、第２のシャーシ３０が搭載する３台のハードディスク駆動装置６とは別にもう一台のハードディスク駆動装置６を接続可能とするためのものであり、図７に二点鎖線で示すように、一つのコネクタ３６を実装し得る大きさを有している。
【００３４】
この実装領域３７の存在により、第２のプリント回路板３５は、第２のシャーシ３０が搭載可能なハードディスク駆動装置６の台数よりも一台多い４台のハードディスク駆動装置６との接続が可能となっており、上記第１のプリント回路板２６と共通の部品となっている。
【００３５】
第２のシャーシ３０は、第２のプリント回路板３５を先頭にした姿勢で第１の格納庫４の前端開口部１３から機器格納室１２に取り外し可能に挿入される。第２のシャーシ３０を機器格納室１２に挿入した状態では、第２のシャーシ３０の側板３１ａ，３１ｂが第１の格納庫４の側板９ａ，９ｂと向かい合っている。
【００３６】
側板３１ａ，３１ｂの高さ方向に沿う中央部に、夫々側方に張り出す一対の挿入ガイド３８ａ，３８ｂが取り付けられている。挿入ガイド３８ａ，３８ｂは、第１の格納庫４に対する第２のシャーシ３０の挿入方向を定めるためのものである。これら挿入ガイド３８ａ，３８ｂは、第２のシャーシ３０の挿入方向に沿って水平に延びているとともに、上記レール６のガイド片１７ａ，１７ｂの間に摺動可能に嵌まり込むようになっている。
【００３７】
さらに、挿入ガイド３８ａ，３８ｂは、第２のシャーシ３０の挿入方向に互いに離間して配置されており、隣り合う挿入ガイド３８ａ，３８ｂの間に上記一方のレール１６が挿通可能な空間３９が形成されている。それとともに、挿入先端側の挿入ガイド３８ａは、上記レール１６の間の通路１８に入り込めるような大きさを有している。
【００３８】
次に、第２のシャーシ３０を用いて３台のハードディスク駆動装置６をサーバ１の第１の格納庫４に実装する手順について説明する。
【００３９】
まず、図８に示すように、３台のハードディスク駆動装置６を搭載した第２のシャーシ３０を第１の格納庫４の前端開口部１３から機器格納室１２に挿入する。この際、第２のシャーシ３０は、第２のプリント回路板３５を先頭にした姿勢で機器格納室１２の上段および中段の実装スペース１２ａ，１２ｂに入り込むとともに、第２のシャーシ３０の挿入先端側の挿入ガイド３８ａが中段の実装スペース１２ｂの一方のレール１６に嵌まり込む。これにより、第２のシャーシ３０は、一方のレール１６に沿って第１の格納庫４の奥行き方向に水平に押し込まれる。
【００４０】
第２のシャーシ３０の押し込みにより、挿入先端側の挿入ガイド３８ａがレール１６の間の通路１８に達すると、図９に示すように、挿入ガイド３８ａ，３８ｂの間の空間３９が他方の一方のレール１６と合致し、レール１６による第２のシャーシ３０の保持が解除される。それとともに、第２のシャーシ３０の後端の第２のプリント回路板３５が第１の格納庫４の後端開口部１４から第１の格納庫４の外方に突出する。
【００４１】
次に、図９に矢印で示すように、第２のシャーシ３０を中段の実装スペース１２ｂの通路１８を通して下段の実装スペース１２ｃに移動させ、第２のシャーシ３０の挿入ガイド３８ａを下段の実装スペース１２ｃの通路１８に導く。この後、第２のシャーシ３０を再び第１の格納庫４に押し込み、挿入ガイド３８ａ，３８ｂを下段の実装スペース１２ｃのレール１６に嵌め込む。
【００４２】
このことにより、第２のシャーシ３０は、図７に示すように中段および下段の二つの実装スペース１２ｂ，１２ｃを占有した状態で第１の格納庫４に収容される。そのため、第１の格納庫４の上段の実装スペース１２ａが空の状態となり、この空いた実装スペース１２ａに他の周辺機器４０を収容することができる。
【００４３】
また、第２のプリント回路板３５の実装領域３７は、第２のシャーシ３０の降下に伴い、第１の格納庫４の外方において、この第１の格納庫４の下方に向けて張り出す。この際、第１の格納庫４の下方には、３．５インチタイプの第２の格納庫５が位置するものの、この第２の格納庫５は、その奥行き寸法が第１の格納庫４よりも小さい。よって、第２のプリント回路板３５の実装領域３７が第２の格納庫５と干渉し合うことはない。
【００４４】
このような構成によれば、第２のシャーシ３０を第１の格納庫４の内部で下向きに移動させることができ、この第１の格納庫４の上段の実装スペース１２ａを空けることができる。しかも、第２のシャーシ３０の下方に張り出す第２のプリント回路板３５の実装領域３７は、上段の実装スペース１２ａとは反対側に位置するとともに、第１の格納庫４の下方に張り出している。このため、第２のプリント配線板３５が第１のプリント回路板２６と同じ大きさを有するにも拘わらず、この第２のプリント回路板３５によって第１の格納庫４の三つの実装スペース１２ａ，１２ｂ，１２ｃが占有されることはない。
【００４５】
よって、空となった上段の実装スペース１２ａに他の周辺機器４０を装着することができ、第１の格納庫４の三つの実装スペース１２ａ，１２ｂ，１２ｃを無駄なく有効に活用できる。
【００４６】
加えて、第２のプリント回路板３５は、第２のシャーシ３０の外方に突出する実装領域３７を有し、この実装領域３７の存在により、第２のプリント回路板３５が４台のハードディスク駆動装置６の接続を可能とする大きさとなる。このため、第１のプリント回路板２６と第２のプリント回路板３５とを共通部品とすることができ、第１および第２のシャーシ２０，３０のいずれにも共通して使用することができる。
【００４７】
したがって、部品点数を削減することができ、その分、製造コストを低く抑えて安価なサーバ１を得ることができる。
【００４８】
なお、本発明は上記実施の形態に特定されるものではなく、発明の趣旨を逸脱しない範囲内で種々変形して実施可能である。
【００４９】
例えば第２のプリント回路板３５の実装領域３７を第２のシャーシ３０の上方に突出させ、第２のシャーシ３０を第１の格納庫４の内部で上向きに移動させるようにしてもよい。
【００５０】
この構成によれば、第２のシャーシ３０は上段および中段の実装スペース１２，１２ｂを占有した状態で第１の格納庫４に収容されることになり、第１の格納庫４の下段の実装スペース１２ｃが空となる。したがって、下段の実装スペース１２ｃに他の周辺機器４０を収容することができる。
【００５１】
さらに、例えばシャーシに搭載されるハードディスク駆動装置の台数は、最大４台に限らないとともに、このシャーシに搭載されるモジュールにしてもハードディスク駆動装置に限らず、その他の周辺機器であってもよい。
【００５２】
【発明の効果】
以上詳述した本発明によれば、複数の実装スペースを無駄なく有効に活用できるとともに、一種類のプリント回路板をモジュールの装着台数が異なる複数のシャーシに共通して使用することができ、電子機器の製造コストを低減することができる。
【図面の簡単な説明】
【図１】本発明の実施の形態に係るサーバの正面図。
【図２】４台のハードディスク駆動装置を搭載した第１のシャーシと第１の格納庫との位置関係を示す斜視図。
【図３】第１の格納庫に第１のシャーシを介して４台のハードディスク駆動装置を格納した状態を示す正面図。
【図４】第１の格納庫に第１のシャーシを格納した状態を示す側面図。
【図５】図４のF5−F5線に沿う断面図。
【図６】３台のハードディスク駆動装置を搭載した第２のシャーシと第１の格納庫との位置関係を示す斜視図。
【図７】第１の格納庫に第２のシャーシを介して３台のハードディスク駆動装置を格納した状態を示す正面図。
【図８】第１の格納庫に第２のシャーシを挿入した状態を示す側面図。
【図９】第１の格納庫のレールと第２のシャーシの挿入ガイドとの位置関係を示す側面図。
【図１０】第１の格納庫の内部で第２のシャーシを下向きに移動させた状態を示す側面図。
【符号の説明】
４…第１の格納庫、６…モジュール（ハードディスク駆動装置）、９ａ，９ｂ…側板、１２ａ，１２ｂ，１２ｃ…実装スペース、１３…開口部（前端開口部）、１６…レール、１８…通路、２０…第１のシャーシ、２６…第１のプリント回路板、３０…第２のシャーシ、３５…第２のプリント回路板、３８ａ，３８ｂ…挿入ガイド。
【図１】
2004213703.tif 000003
【図２】
2004213703.tif 000004
【図３】
2004213703.tif 000005
【図４】
2004213703.tif 000006
【図５】
2004213703.tif 000007
【図６】
2004213703.tif 000008
【図７】
2004213703.tif 000009
【図８】
2004213703.tif 000010
【図９】
2004213703.tif 000011
【図１０】
2004213703.tif 000012